(57)【特許請求の範囲】
【請求項１】
フィルタ（２１）を搬送させながら前記フィルタ（２１）に付着した塵埃を除去するフィルタ清掃機構付きの空調室内機であって、
前記フィルタ（２１）の網目に入り込む複数の細線部材（４１１ａ）を有し、回転時に前記網目と前記細線部材（４１１ａ）との噛み合いによって前記フィルタ（２１）を搬送するローラー（４１）と、
前記フィルタ（２１）を挟んで前記ローラー（４１）と対峙する位置に配備されるブラシ（６１）と、
を備え、
前記細線部材（４１１ａ）は、前記ローラー（４１）から径に対して所定方向に傾いて突出しており、
前記ブラシ（６１）は、前記細線部材（４１１ａ）を起こす方向と逆の方向に回転し、
前記フィルタ（２１）は、環形状に成形されており、前記ローラー（４１）の回転によって所定軌道を周回する、
空調室内機（２）。
【請求項２】
前記ローラー（４１）は、環形状の前記フィルタ（２１）の内側に位置し、前記フィルタ（２１）の進行方向を反転させる湾曲面の支持部を兼用する、
請求項１に記載の空調室内機（２）。
【発明の詳細な説明】
【技術分野】
【０００１】
本発明は、空調室内機に関し、特に、フィルタに付着した塵埃を自動的に除去するフィルタ清掃機構付きの空調室内機に関する。
【背景技術】
【０００２】
近年、フィルタ清掃機構付きの空調室内機が広く普及しており、例えば、特許文献１（特開２００９−８５５０４公報の実施例３）に開示されているフィルタ清掃機構では、環形状に成形されたフィルタが室内熱交換器の風上側に配置され、そのフィルタは回転するローラーとの摩擦力によって周回し、ブラシのような掻き取り部材がそのフィルタに接触して塵埃を掻き落している。
【発明の概要】
【発明が解決しようとする課題】
【０００３】
しかしながら、特許文献１に記載の空調室内機では、フィルタに付着している塵埃がローラー表面に集まり易く、ローラー表面に滞留した塵埃によってフィルタとローラーとの摩擦力が低下し、フィルタが周回できなくなる可能性がある。
【０００４】
本発明の課題は、フィルタを周回させるローラーの表面に塵埃が滞留することを抑制するフィルタ清掃機構付きの空調室内機を提供することにある。
【課題を解決するための手段】
【０００５】
第１発明に係る空調室内機は、フィルタを搬送させながらフィルタに付着した塵埃を除去するフィルタ清掃機構付きの空調室内機であって、ローラーと、ブラシとを備えている。ローラーは、フィルタの網目に入り込む複数の細線部材を有し、回転時に網目と細線部材との噛み合いによってフィルタを搬送する。ブラシは、フィルタを挟んでローラーと対峙する位置に配備される。細線部材は、ローラーから径に対して所定方向に傾いて突出している。ブラシは、細線部材を起こす方向と逆の方向に回転する。また、フィルタは、環形状に成形されており、ローラーの回転によって所定軌道を周回する。
【０００６】
この空調室内機では、フィルタから脱離した塵埃の一部は細線部材の根元とローラー表面との鋭角側隙間に入り込もうとするが、ブラシが細線部材の根元から先端に向かって塵埃を掻き出すので、細線部材の根元に塵埃が溜まり込むことは抑制される。
【０００７】
また、ローラーがフィルタを往復搬送させる場合、細線部材がローラーから径に対して所定方向に傾いて突出しているので、フィルタの網目と細線部材との噛み合い力がフィルタの搬送方向によって異なるという難点がある。しかし、この空調室内機では、フィルタが環形状になることによって、ローラーが同一方向に一定量回転したときに元の位置に戻るので、フィルタを往復搬送させる必要がない。その結果、安定した噛み合い力でフィルタが搬送される。また、フィルタの位置検出手段が不要になる。
【０００８】
第２発明に係る空調室内機は、第１発明に係る空調室内機であって、ローラーは、環形状のフィルタの内側に位置し、フィルタの進行方向を反転させる湾曲面の支持部を兼用する。
【０００９】
この空調室内機では、ローラーはフィルタの進行方向を反転させる湾曲面でフィルタと接触するので、ローラーとフィルタとの接触領域が増える。その結果、細線部材がフィルタの網目に噛み合い易くなり、搬送力が十分に確保され、ローラーとフィルタとの間の滑りが減少する。
【発明の効果】
【００１０】
第１発明に係る空調室内機では、フィルタから脱離した塵埃の一部は細線部材の根元とローラー表面との鋭角側隙間に入り込もうとするが、ブラシが細線部材の根元から先端に向かって塵埃を掻き出すので、細線部材の根元に塵埃が溜まり込むことは抑制される。また、安定した噛み合い力でフィルタが搬送される。さらに、フィルタの位置検出手段が不要になる。
【００１１】
第２発明に係る空調室内機では、細線部材がフィルタの網目に噛み合い易くなり、搬送力が十分に確保され、ローラーとフィルタとの間の滑りが減少する。
【図面の簡単な説明】
【００１２】
【図１】本発明の一実施形態に係る空調室内機の断面図。
【図２】フィルタ清掃装置の斜視図。
【図３】フィルタ清掃装置の分解斜視図。
【図４】図２のＡ−Ａ曲線を通る平面によって切断されたフィルタ清掃装置の断面図。
【図５】フィルタとローターとブラシとが接触する部分の拡大断面図。
【発明を実施するための形態】
【００１３】
以下図面を参照しながら、本発明の実施形態について説明する。なお、以下の実施形態は、本発明の具体例であって、本発明の技術的範囲を限定するものではない。
＜空調室内機２＞
図１は、本発明の一実施形態に係る空調室内機の断面図である。図１において、本体１０の外郭は、グリル１０ａと前面パネル１０ｂと背面板１０ｃとで構成されている。本体１０の内部には、フレーム１１、室内熱交換器１２、ファン１３、及びフィルタ２１が配置されている。
【００１４】
室内熱交換器１２は、通過する空気との間で熱交換を行う。ファン１３は、室内から取り込んだ空気を、室内熱交換器１２に当てて通過させた後、室内に吹き出す。室内熱交換器１２及びファン１３は、フレーム１１に取り付けられている。
【００１５】
フレーム１１の前面下部には、吹出口１５が設けられており、吹出口１５から吹き出される空気を案内する水平フラップ１７が、吹出口１５に設けられている。水平フラップ１７は、空気の吹出方向を変更したり、吹出口１５を開閉したりすることができる。
【００１６】
グリル１０ａと室内熱交換器１２との間にはフィルタ２１が配置されており、室内熱交換器１２に向って流入してくる空気に含まれる塵埃を除去する。また、空調室内機２は、塵埃が付着したフィルタ２１を自動清掃するフィルタ清掃装置７０を備えている。以下、フィルタ清掃装置７０に関連する部材について図面を用いて説明する。
【００１７】
図２は、フィルタ清掃装置の斜視図である。また、図３は、図２のフィルタ清掃装置の分解斜視図である。図１、図２及び図３において、フィルタ清掃装置７０は、フィルタ２１を支持する支持枠４０と、支持枠４０を支持する第２支持枠５０とを有している。
【００１８】
（フィルタ２１）
フィルタ２１は、例えば、樹脂製の糸で平織りされた網であり、環形状に成形されている。なお、フィルタ２１の織り方は平織りに限定されるのではなく、綾織りなど他の織り方でもよい。図３に示すように、フィルタ２１には、一般のフィルタに見られるような補強用の縁やリブが設けられていない。このため、フィルタ２１は自身で安定した形状を維持することができないので、支持枠４０がフィルタ２１を支持し、フィルタ２１に所定の環形状を形成させている。なお、説明の便宜上、フィルタ２１のうち、折り返し部分を除いて、フィルタ２１の風上側に位置する部分を正面側フィルタ部分２１１とよび、フィルタ２１の風下側に位置する部分を背面側フィルタ部分２１２とよぶ。
【００１９】
（支持枠４０）
図３において、支持枠４０は、第１支持板４３、第２支持板４４、複数の横桟４５ａ及び縦桟４５ｂを含んでいる。第１支持板４３と第２支持板４４とは、横桟４５ａによって互いの端面が向かい合うように平行に離れて連結されている。第１支持板４３は、長手方向の一端に、ローラー４１の回転軸を支持する第１軸受４３ａを有している。第１軸受４３ａは、円環状であるが、環の一部が切り欠かれている。
【００２０】
第１支持板４３と同様に、第２支持板４４も、長手方向の一端にローラー４１の回転軸を支持する第２軸受４４ａを有している。但し、第２軸受４４ａは円環状であるが、第１軸受４３ａのような切り欠きはない。
【００２１】
ローラー４１の回転軸の一端はローラーギア３２が固定されており、ローラーギア３２の歯先円径がローラー４１の径より大きく、軸方向からの挿入が不可能であるが、ローラー４１の回転軸の他端はローラーギア３２がないので、軸方向からの挿入が可能である。その結果、ローラー４１の回転軸のうちローラーギア３２のない側の軸が第２軸受４４ａに挿入されたのち、ローラーギア３２のある側の軸が第１軸受４３ａの切り欠きから挿入される。
【００２２】
第１支持板４３のもう一方の端、つまり、第１軸受４３ａと反対側にある終端４３ｂは、環形状のフィルタ２１が進行方向を反転させる方向転換部であるので、端面は滑らかな曲面に仕上げられている。同様に、第２支持板４４のもう一方の端、つまり、第２軸受４４ａと反対側にある終端４４ｂも、環形状のフィルタ２１が進行方向を反転させる方向転換部であるので、端面は滑らかな曲面に仕上げられている。
【００２３】
第１支持板４３は、板幅のほぼ中央に、長手方向に沿って並ぶ複数の第１突起４３ｃを有している。同様に、第２支持板４４は、板幅のほぼ中央に、長手方向に沿って並ぶ複数の第２突起４４ｃを有している。第１突起４３ｃから第２突起４４ｃまでの最短距離は、フィルタ２１の幅より少し大きく設定されている。したがって、環形状のフィルタ２１が支持枠４０に掛け渡されたとき、フィルタ２１の端面は、第１突起４３ｃ、第２突起４４ｃと対峙する。
【００２４】
第１支持板４３のうち、フィルタ２１の端面近傍が載る部分を第１フィルタ受け部４３ｄとよび、第１突起４３ｃを挟んで第１フィルタ受け部４３ｄと反対側の部分を第１案内部４３ｅとよぶ。同様に、第２支持板４４のうち、フィルタ２１の端面近傍が載る部分を第２フィルタ受け部４４ｄとよび、第２突起４４ｃを挟んで第２フィルタ受け部４４ｄと反対側の部分を第２案内部４４ｅとよぶ。
【００２５】
複数の第１突起４３ｃは、終端４３ｂから第１軸受４３ａの方向に一定間隔で並んでいるが、第１軸受４３ａの一定距離手前で途切れている。また、第１突起４３ｃと並んで延びる第１案内部４３ｅも、第１突起４３ｃの並びが途切れた位置で終端面となっている。その結果、第１案内部４３ｅの終端面から第１軸受４３ａまでの間に第１切り欠き部４３ｆが形成される。
【００２６】
同様に、複数の第２突起４４ｃは、終端４４ｂから第２軸受４４ａの方向に一定間隔で並んでいるが、第２軸受４４ａの一定距離手前で途切れている。また、第２突起４４ｃと並んで延びる第２案内部４４ｅも、第２突起４４ｃの並びが途切れた位置で終端面となっている。その結果、第２案内部４４ｅの終端面から第２軸受４４ａまでの間に第２切り欠き部４４ｆが形成される。
【００２７】
ローラー４１の周面には、パイル織りされた織物基布が貼り付けられている。パイル織りとは、表面に短い繊維（パイル糸４１１ａ）が立つように織る方法であり、具体的には、衣類等に付着した糸屑や綿埃などを取り除く洋服ブラシの布部分がそれに相当する。
【００２８】
ローラー４１の外周面に立つパイル糸４１１ａはフィルタ２１の網目に入り込むので、ローラー４１とフィルタ２１の間には滑りが生じ難くなっている。その結果、ローラー４１を回転させることによって、フィルタ２１が支持枠４０に沿って周回することができる。
【００２９】
（曲面支持部材４２）
曲面支持部材４２は、第１支持板４３の終端４３ｂと第２支持板４４の終端４４ｂとを結ぶ。曲面支持部材４２は、フィルタ２１の進行方向を反転させる部材であり、フィルタ２１が接触する部分は滑らかに仕上げられている。
【００３０】
図４は、図２のＡ−Ａ曲線を通る平面によって切断されたフィルタ清掃装置の断面図である。図４において、ローラー４１は回転曲面４１０によってフィルタ２１を支持し、曲面支持部材４２は滑らかな円周面に成形された固定曲面４２０によってフィルタ２１を支持している。もちろん、曲面支持部材４２をローラーで構成してフィルタ２１を回転曲面で支持することは可能であるが、その場合、ローラーおよび軸受け等によって構造が大型化する。
【００３１】
それゆえ、支持枠４０がフィルタ２１を固定曲面４２０で支持することによって小型化を実現している。また、曲面支持部材４２は、第１支持板４３、第２支持板４４、横桟４５ａ及び縦桟４５ｂと共に一体成形されるので構成が簡単で部品点数が減る。横桟４５ａと縦桟４５ｂとは格子を形成しており、一定の強度を確保している。
【００３２】
（外側桟４６）
図４に示すように、外側桟４６は、フィルタ２１を挟んでローラー４１と反対側からフィルタ２１の湾曲面に近接して対峙している。フィルタ２１のローラー４１と接触している部分は、進行方向に引っ張られる領域と進行方向に繰り出される領域とが隣接しており、繰り出される領域ではフィルタ２１に作用する張力が低下してフィルタ２１が波打つ可能性が高い。
【００３３】
しかし、外側桟４６が設けられることによって、波打ったフィルタ２１が他の部材と接触する前に外側桟４６に接触するので、仮にローラー４１の近傍に別の可動部材（例えば、図１に示すブラシ６１）が存在している場合でも、フィルタ２１が噛み込まれることがない。
【００３４】
（取っ手４８）
図３において、取っ手４８は、第１切り欠き部４３ｆおよび第２切り欠き部４４ｆに嵌め込まれて固定される。取っ手４８は、ハンドル４８ａと、固定部４８ｂと、保持部４８ｃとを有している。
【００３５】
固定部４８ｂは、ハンドル４８ａの根元部分を形成し、第１切り欠き部４３ｆおよび第２切り欠き部４４ｆに嵌まり込む。保持部４８ｃは、フィルタ２１を押して弛みを防止するテンションバー４７を保持する。
【００３６】
取っ手４８はテンションバー４７の両端を保持し、フィルタ２１が掛け渡された支持枠４０の後方側から、取っ手４８が第１切り欠き部４３ｆ及び第２切り欠き部４４ｆを通って前方側へ出る。取っ手４８の固定部４８ｂが第１切り欠き部４３ｆ及び第２切り欠き部４４ｆに位置決めされととき、テンションバー４７は、フィルタ２１を支持枠４０側へ押した位置で停止する。その結果、フィルタ２１は、テンションバー４７によって弛みが解消され、支持枠４０に周回可能に支持された状態となる。
【００３７】
ハンドル４８ａの側面はフィルタ２１の両端面に近接して対向するので、フィルタ２１が支持枠４０を周回する際、フィルタ２１の両端が複数の第１突起４３ｃ、複数の第２突起４４ｃ、および取っ手４８のハンドル４８ａによって案内されるので、フィルタ２１の蛇行が防止される。
【００３８】
（第２支持枠５０）
図２および図３において、第２支持枠５０は、第１側板５１、第２側板５２、第３側板５３、補強枠５４、および端部取付板５５を有している。第１側板５１、第２側板５２および第３側板５３は平行にほぼ等間隔で並んでいる。補強枠５４は、第１側板５１と第２側板５２との間、第２側板５２と第３側板５３との間に取り付けられる。端部取付板５５は、第１側板５１、第２側板５２及び第３側板５３の終端に各終端を覆うよう取り付けられる。
【００３９】
第１側板５１には、支持枠４０の第１案内部４３ｅを支持する案内溝５１ａが設けられている。また、第１側板５１の案内溝５１ａがない側には３つのモータが取り付けられ、案内溝５１ａがある側にギア列が取り付けられ、各モータの回転軸は第１側板５１を貫通してギア列に連結されている。
【００４０】
第２側板５２には、支持枠４０の第２案内部４４ｅを支持する案内溝５２ａと、支持枠４０の第１案内部４３ｅを支持する案内溝５２ｂとが設けられている。案内溝５２ａは第１側板５１に対峙する側に設けられ、案内溝５２ｂは案内溝５２ａと反対側に設けられている。第３側板５３には、支持枠４０の第２案内部４４ｅを支持する案内溝５３ａが設けられている。案内溝５３ａは、第２側板の案内溝５２ｂに対峙している。
【００４１】
案内溝５１ａ、５２ａ、５２ｂ、５３ａは２次曲線状に湾曲しており、その深さは第１案内部４３ｅ及び第２案内部４４ｅが完全に収まる程度の深さであり、長さは支持枠４０の第１支持板４３及び第２支持板４４の長さより短く、第１突起４３ｃ及び第２突起４４ｃの配列長さにほぼ等しい。
【００４２】
図３に示すように、第１側板５１に固定される３つのモータのうち、２つのモータがローラー４１を回転させるローラー駆動モータ３１であり、もう１つのモータがブラシ６１（図１参照）を回転させるブラシ駆動モータ６３である。ブラシ駆動モータ６３は、２つのローラー駆動モータ３１の下方に配置されている。
【００４３】
説明の便宜上、第１側板５１と第２側板５２とに支持されるローラー４１を右ローラー４１ａとよび、第２側板５２と第３側板５３とに支持されるローラー４１を左ローラー４１ｂとよぶ。下側のローラー駆動モータ３１は、右ローラー４１ａを回転させるため、ギア列３１ａを介して右ローラー４１ａのローラーギア３２を回転させる。上側のローラー駆動モータ３１は、左ローラー４１ｂを回転させるため、ギア列３１ｂおよび延長軸３１ｃを介して左ローラー４１ｂのローラーギア３２を回転させる。このように、ローラー４１、ローラーギア３２およびローラー駆動モータ３１が駆動機構３０を構成している。
【００４４】
ブラシ駆動モータ６３は、延長軸６３ａ及びギア列６３ｂを介してブラシ６１（図１参照）を回転させる。
【００４５】
補強枠５４は、フィルタ２１の進行方向に沿う複数の連結棒５４ａと、フィルタ２１の進行方向と直交する複数の補強棒５４ｂとによって格子が形成されており、一定の強度が確保されている。そして、フィルタ２１が接触する可能性のある部分は、滑らかな曲面に仕上げられている。
【００４６】
（支持枠４０の脱着）
支持枠４０は風上側に向かって凸となるように湾曲しているので、フィルタ２１も支持枠４０に追従して湾曲している。フィルタ２１が掛け渡された支持枠４０の湾曲は、まだ第２支持枠５０に比べて小さいので、作業者は、支持枠４０を湾曲させながら、第１案内部４３ｅを案内溝５１ａ，５２ｂに収め、第２案内部４４ｅを案内溝５２ａ，５３ａに収める。
【００４７】
支持枠４０の複数の第１突起４３ｃ及び複数の第２突起４４ｃは、間隔をあけて並んでいるので、第１支持板４３および第２支持板４４が湾曲し易くなっており、支持枠４０は湾曲し易く、容易に第２支持枠５０へ装着される。第２支持枠５０から支持枠４０を取り出す場合、使用者は取っ手４８のハンドル４８ａを持って手前へ引くことによって、支持枠４０が引き出される。したがって、メンテナンス性が良い。
【００４８】
（ブラシ６１及びその回転方向）
図５は、フィルタとローターとブラシとが接触する部分の拡大断面図である。図５において、ブラシ６１は、フィルタ清掃用のブラシであり、フィルタ２１に付着した塵埃を掻き落すため、フィルタ２１を挟んでローラー４１と対向している。ブラシ６１は、樹脂製の毛材６１１ａが円柱状の芯６１１に貼り付けられた形状である。なお、ブラシ６１の製造方法は、円柱状の芯６１１に毛材６１１ａを直に植毛する方法でもよい。
【００４９】
ローラー４１のパイル糸４１１ａは途中までフィルタ２１の網目に喰い込み、フィルタ２１と織物基布４１１との間に微小な隙間を形成している。ローラー４１が、図５のＣＣＷ方向（反時計方向）に回転しフィルタ２１は周回するとき、フィルタ２１の網目に付着していた塵埃は、パイル糸４１１ａの先端によってブラシ６１側に押し出されるが、塵埃に一部はパイル糸４１１ａの先端を伝って根元側に集まる。また、既にフィルタ２１の網目をすり抜けていた塵埃もパイル糸４１１ａを伝って根元に集まる。このような状態のときに、ブラシ６１がフィルタ２１の周回方向に逆らう様に回転した場合、フィルタ２１の網目に入り込んだブラシ６１の毛材６１１ａが、掻き出すことができず、逆に塵埃をパイル糸４１１ａの根元に集めるように作用する。
【００５０】
そこで、本実施形態では、ブラシ６１は、フィルタ２１の周回方向に逆らわない方向に回転する。パイル糸４１１ａは、ローラー４１の径に対してフィルタ２１の周回方向に傾いており、ブラシ６１はパイル糸４１１ａを起こす方向とは逆の方向に回転する。ブラシ６１の毛材６１１ａは、パイル糸４１１ａの根元とローラー４１の表面との鋭角側隙間に入り込んだ塵埃および入り込もうとする塵埃を、パイル糸４１１ａの根元から先端に向かって掻き出すので、パイル糸４１１ａの根元に塵埃が溜まり込むことが防止される。
【００５１】
ブラシ６１によってフィルタ２１から掻き落された塵埃は、ブラシ６１の下方に位置するダストボックス６０（図１参照）内に溜まる。ダストボックス６０は本体１０から取り外すことができるので、ダストボックス６０内に塵埃が十分溜まったとき、使用者はダストボックス６０を本体１０から取り外して塵埃を捨てる。
【００５２】
ブラシ６１は、図１に示すようにダストボックス６０の開口部に回転自在に取り付けられており、使用者が、ダストボックス６０を本体１０から取り出したとき、ブラシ６１も一緒に取り出されるので、使用者はダストボックス６０の清掃のときにブラシ６１のメンテナンスを行なうことができる。
【００５３】
（フィルタ清掃運転）
空調室内機２は、本体１０にフィルタ清掃装置７０を制御する制御部（図示せず）を内蔵している。制御部は、空調室内機２の運転時間をカウントしており、前回のフィルタ清掃運転からの累積運転時間が所定時間（例えば、１８時間）に到達したとき、ブラシ６１を回転させながら、フィルタ２１を所定回数（例えば、１回）だけ周回させる。
【００５４】
その間、ブラシ６１の毛材がフィルタ２１の網目に入り込んで、その網目につまった塵埃を掻き出す。その塵埃は、ブラシ６１の下方に位置するダストボックス６０内に溜まる。なお、本実施形態に係る空調室内機２は、リモコン（図示せず）を使って強制的にフィルタ清掃運転を実行することもできる。
【００５５】
フィルタ２１の周回速度は低速（例えば、１回の周回動作に要する時間は約３分）であるので、フィルタ２１が左右いずれかの端に極端に偏ることはないが、仮に、フィルタ２１が偏りそうになっても、フィルタ２１の端面が第１突起４３ｃ及び第２突起４４ｃに対峙しているので、偏りが防止される。
【００５６】
＜特徴＞
（１）
空調室内機２では、ブラシ６１がフィルタ２１を挟んでローラー４１と対峙する位置に配備されている。ローラー４１の表面からは、パイル糸４１１ａから成る細線部材が径に対して所定方向に傾いて突出している。フィルタ２１から脱離した塵埃の一部はパイル糸４１１ａの根元とローラー４１表面との鋭角側隙間に入り込もうとするが、ブラシ６１がパイル糸４１１ａを起こす方向と逆の方向に回転するので、ブラシ６１がパイル糸４１１ａの根元から先端に向かって塵埃を掻き出す。その結果、パイル糸４１１ａの根元に塵埃が溜まり込むことが抑制される。
【００５７】
（２）
また、この空調室内機では、フィルタ２１が環形状になっているので、ローラー４１が同一方向に一定量回転したときに元の位置に戻る。したがって、フィルタ２１は往復搬送する必要がなく、安定した噛み合い力でフィルタ２１が搬送される。また、フィルタ２１の位置検出手段が不要になる。
【００５８】
（３）
また、この空調室内機では、ローラー４１が、環形状のフィルタ２１の内側に位置しフィルタ２１の進行方向を反転させる湾曲面の支持部を兼用しているので、ローラー４１とフィルタ２１との接触領域が増える。その結果、パイル糸４１１ａがフィルタ２１の網目に噛み合い易くなり、搬送力が十分に確保され、ローラー４１とフィルタ２１との間の滑りが減少する。
【産業上の利用可能性】
【００５９】
以上のように、本発明によれば、フィルタ２１が滑らかに動作するようになるので、フィルタ自動清掃機能付きの空調室内機に有用である。
【符号の説明】
【００６０】
２  空調室内機
２１  フィルタ
４１  ローラー
６１  ブラシ
４１１ａ  パイル糸（細線部材）
【先行技術文献】
【特許文献】
【００６１】
【特許文献１】特開２００９−８５５０４公報の実施例３
【図１】
0005521474.tif 000002
【図２】
0005521474.tif 000003
【図３】
0005521474.tif 000004
【図４】
0005521474.tif 000005
【図５】
0005521474.tif 000006